(57)【要約】【課題】ユーザー操作の手間を不要に増加させることなく、ユーザーの意図に合致したページから印刷処理を再開することが可能な画像形成装置及び画像形成方法を提供すること。【解決手段】画像形成装置は、複数のページを含む画像データに基づいて前記ページ各々の画像を順次印刷する印刷処理を実行し（ステップＳ２）、前記印刷処理が中断される場合に、前記印刷処理の中断原因が予め定められた特定原因であるか否かを判断し（ステップＳ４）、前記中断原因が前記特定原因でないと判断される場合には、前記印刷処理を再開する再開ページを前記印刷処理が中断される直前に出力されたページの次のページに設定し（ステップＳ４１）、前記中断原因が前記特定原因であると判断される場合には、ユーザー操作に応じて前記再開ページを設定し（ステップＳ７）設定された前記再開ページから前記印刷処理を再開する（ステップＳ８）。【選択図】図３
2017102306.tif 000002
【特許請求の範囲】
【請求項１】
複数のページを含む画像データに基づいて前記ページ各々の画像を順次印刷する印刷処理を実行する印刷処理部と、
前記印刷処理部により実行される前記印刷処理が中断される場合に、前記印刷処理の中断原因が予め定められた特定原因であるか否かを判断する判断処理部と、
前記判断処理部により前記中断原因が前記特定原因でないと判断される場合には、前記印刷処理を再開する再開ページを前記印刷処理が中断される直前に出力された前記ページの次の前記ページに設定し、前記判断処理部により前記中断原因が前記特定原因であると判断される場合には、ユーザー操作に応じて前記再開ページを設定する設定処理部と、
前記設定処理部により設定された前記再開ページから前記印刷処理を再開する再開処理部と、
を備える画像形成装置。
【請求項２】
前記画像形成装置は、前記印刷処理に用いられる現像剤を収容する現像剤収容部を含み、
前記特定原因は、前記現像剤収容部に収容されている前記現像剤がなくなる現像剤切れを含む請求項１に記載の画像形成装置。
【請求項３】
前記画像形成装置は、静電潜像が形成される像担持体、トナーを用いて前記像担持体に形成された静電潜像を現像する現像部、前記現像部により前記像担持体上に形成されたトナー像をシートに転写させる転写部、及び前記シートに転写された前記トナー像を加熱して前記シートに定着させる定着部を含み、
前記特定原因は、前記定着部の温度が予め定められた最低温度以下であることを含む請求項１又は２に記載の画像形成装置。
【請求項４】
前記特定原因は、ユーザーにより前記印刷処理の中断を指示する操作が行われたことを含む請求項１〜３のいずれかに記載の画像形成装置。
【請求項５】
前記設定処理部は、前記判断処理部により前記中断原因が前記特定原因であると判断される場合には、前記再開ページの設定に用いられる前記ページのプレビュー画像を含むページ設定画面を表示部に表示させて前記ページ設定画面におけるユーザー操作に応じて前記再開ページを設定する請求項１〜４のいずれかに記載の画像形成装置。
【請求項６】
前記設定処理部は、前記ページ設定画面におけるユーザー操作に応じて前記ページ設定画面に含まれる前記プレビュー画像を切り替える請求項５に記載の画像形成装置。
【請求項７】
前記再開処理部は、前記判断処理部により前記中断原因が前記特定原因ではないと判断された場合に、前記設定処理部により設定された前記再開ページのプレビュー画像を含む確認画面を表示部に表示させて前記確認画面におけるユーザー操作に応じて前記印刷処理を再開する請求項１〜６のいずれかに記載の画像形成装置。
【請求項８】
前記設定処理部は、前記判断処理部により前記中断原因が前記特定原因であると判断された場合に、出力された印刷物の確認を促すメッセージを表示させる請求項１〜７のいずれかに記載の画像形成装置。
【請求項９】
複数のページを含む画像データに基づいて前記ページ各々の画像を順次印刷する印刷処理を実行する第１ステップと、
前記第１ステップにより実行される前記印刷処理が中断される場合に、前記印刷処理の中断原因が予め定められた特定原因であるか否かを判断する第２ステップと、
前記第２ステップにより前記中断原因が前記特定原因でないと判断される場合には、前記印刷処理を再開する再開ページを前記印刷処理が中断される直前に出力された前記ページの次の前記ページに設定し、前記中断原因が前記特定原因であると判断される場合には、ユーザー操作に応じて前記再開ページを設定する第３ステップと、
前記第３ステップにより設定された前記再開ページから前記印刷処理を再開する第４ステップと、
を含む画像形成方法。
【発明の詳細な説明】
【技術分野】
【０００１】
本発明は、画像形成装置及び画像形成方法に関する。
【背景技術】
【０００２】
プリンターのような画像形成装置では、複数のページを含む画像データに基づいて前記ページ各々の画像を順次印刷する印刷処理が実行される（例えば、特許文献１参照）。この種の画像形成装置では、前記印刷処理が紙詰まりなどの原因により中断されることがある。この場合、中断の原因が解消された後に前記印刷処理が再開される。例えば、前記印刷処理が中断される直前に出力されたページの次のページから前記印刷処理を自動的に再開可能な画像形成装置が知られている。
【先行技術文献】
【特許文献】
【０００３】
【特許文献１】２００６−２７２９０４号公報
【発明の概要】
【発明が解決しようとする課題】
【０００４】
ところで、前記印刷処理が中断される直前に出力されたページの次のページからの前記印刷処理の再開がユーザーの意図に合致しないことがある。例えば、前記画像形成装置では、前記印刷処理が現像剤切れにより中断された場合に、前記印刷処理が中断される直前に出力された一又は複数枚の印刷物の印刷濃度が低下していることがある。このような場合、ユーザーは、前記印刷処理が中断される直前に出力されたページの次のページではなく、印刷濃度の低下が確認されるページから前記印刷処理を再開したいと考えることがある。これに対し、前記印刷処理が中断された場合には、常にユーザー操作に応じて前記印刷処理を再開する再開ページを設定する構成が考えられる。しかしながら、前記再開ページの設定が常にユーザー操作に応じて行われる場合には、前記印刷処理が紙詰まりなどの原因で中断された場合にも、前記再開ページを設定する操作がユーザーに強いられる。
【０００５】
本発明の目的は、ユーザー操作の手間を不要に増加させることなく、ユーザーの意図に合致したページから印刷処理を再開することが可能な画像形成装置及び画像形成方法を提供することにある。
【課題を解決するための手段】
【０００６】
本発明の一の局面に係る画像形成装置は、印刷処理部と、判断処理部と、設定処理部と、再開処理部と、を備える。前記印刷処理部は、複数のページを含む画像データに基づいて前記ページ各々の画像を順次印刷する印刷処理を実行する。前記判断処理部は、前記印刷処理部により実行される前記印刷処理が中断される場合に、前記印刷処理の中断原因が予め定められた特定原因であるか否かを判断する。前記設定処理部は、前記判断処理部により前記中断原因が前記特定原因でないと判断される場合には、前記印刷処理を再開する再開ページを前記印刷処理が中断される直前に出力された前記ページの次の前記ページに設定し、前記判断処理部により前記中断原因が前記特定原因であると判断される場合には、ユーザー操作に応じて前記再開ページを設定する。前記再開処理部は、前記設定処理部により設定された前記再開ページから前記印刷処理を再開する。
【０００７】
本発明の他の局面に係る画像形成方法は、第１ステップ、第２ステップ、第３ステップ及び第４ステップを含む。前記第１ステップは、複数のページを含む画像データに基づいて前記ページ各々の画像を順次印刷する印刷処理を実行する。前記第２ステップは、前記第１ステップにより実行される前記印刷処理が中断される場合に、前記印刷処理の中断原因が予め定められた特定原因であるか否かを判断する。前記第３ステップは、前記第２ステップにより前記中断原因が前記特定原因でないと判断される場合には、前記印刷処理を再開する再開ページを前記印刷処理が中断される直前に出力された前記ページの次の前記ページに設定し、前記中断原因が前記特定原因であると判断される場合には、ユーザー操作に応じて前記再開ページを設定する。前記第４ステップは、前記第３ステップにより設定された前記再開ページから前記印刷処理を再開する。
【発明の効果】
【０００８】
本発明によれば、ユーザー操作の手間を不要に増加させることなく、ユーザーの意図に合致したページから印刷処理を再開することが可能な画像形成装置及び画像形成方法が実現される。
【図面の簡単な説明】
【０００９】
【図１】図１は、本発明の実施形態に係る画像形成装置の構成を示す図である。
【図２】図２は、本発明の実施形態に係る画像形成装置のシステム構成を示すブロック図である。
【図３】図３は、本発明の実施形態に係る画像形成装置で実行される再開ページ設定処理の手順の一例を示すフローチャートである。
【図４】図４は、本発明の実施形態に係る画像形成装置の操作表示部に表示されるページ設定画面の一例を示す図である。
【図５】図５は、本発明の実施形態に係る画像形成装置の操作表示部に表示される確認画面の一例を示す図である。
【発明を実施するための形態】
【００１０】
以下添付図面を参照しながら、本発明の実施の形態について説明し、本発明の理解に供する。なお、以下の実施の形態は、本発明を具体化した一例であって、本発明の技術的範囲を限定する性格のものではない。
【００１１】
［画像形成装置１００の概略構成］
まず、図１及び図２を参照しつつ、本発明の実施形態に係る画像形成装置１００の概略構成について説明する。ここで、図１は画像形成装置１００の構成を示す断面模式図である。
【００１２】
画像形成装置１００は、原稿から画像データを読み取るスキャン機能及び画像データに基づいて画像を形成するプリント機能と共に、ファクシミリ機能、又はコピー機能などの複数の機能を有する複合機である。また、本発明は、プリンター装置、ファクシミリ装置、及びコピー機などの画像形成装置に適用可能である。
【００１３】
具体的に、画像形成装置１００は、ＡＤＦ１、画像読取部２、画像形成部３、給紙部４、操作表示部５、記憶部６、及び制御部７を備える。
【００１４】
ＡＤＦ１は、画像読取部２により画像が読み取られる原稿を搬送する自動原稿搬送装置である。例えば、ＡＤＦ１は、原稿載置部、搬送ローラー、原稿押さえ、及び排紙部を備える。
【００１５】
画像読取部２は、原稿から画像を読み取って画像データとして出力することが可能である。例えば、画像読取部２は、原稿台、光源、ミラー、光学レンズ、及びＣＣＤ（Ｃｈａｒｇｅ  Ｃｏｕｐｌｅｄ  Ｄｅｖｉｃｅ）を備える。
【００１６】
画像形成部３は、画像読取部２により読み取られる画像データに基づいて電子写真方式で画像を形成することが可能である。また、画像形成部３は、外部のパーソナルコンピューター等の情報処理装置から入力される画像データに基づいて画像を形成することも可能である。
【００１７】
給紙部４は、画像形成部３により画像が形成されるシートを搬送する。
【００１８】
操作表示部５は、情報を表示する液晶ディスプレーなどの表示部及びユーザー操作を受け付ける操作部を備える。例えば、操作表示部５は、前記表示部及び前記操作部を兼ねるタッチパネルである。例えば、操作表示部５は、後述する印刷処理における各種の設定を前記表示部に表示させると共に、前記操作部でユーザーによる前記印刷処理の設定操作を受け付ける。
【００１９】
記憶部６は、ハードディスク又はＥＥＰＲＯＭ（登録商標）などの不揮発性の記憶部である。記憶部６には、制御部７によって実行される各種の制御プログラムが記憶されている。また、記憶部６には、画像読取部２により読み取られた画像データが記憶される。
【００２０】
制御部７は、ＣＰＵ、ＲＯＭ、及びＲＡＭなどの制御機器を備え、画像形成装置１００の各構成要素を制御する。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性の記憶部である。そして、制御部７は、前記ＲＯＭ又は記憶部６に記憶されている前記制御プログラムを前記ＣＰＵによって実行する。
【００２１】
［画像形成部３及び給紙部４の構成］
次に、図１及び図２を参照しつつ、画像形成部３及び給紙部４の構成について詳細に説明する。
【００２２】
図１及び図２に示すように、画像形成部３は、感光体ドラム３１、帯電装置３２、光走査装置（ＬＳＵ）３３、現像部３４、転写ローラー３５、クリーニング装置３６、定着装置３７、排紙トレイ３８、トナーセンサー３９１、及び温度センサー３９２を備える。
【００２３】
感光体ドラム３１は、表面に静電潜像が形成される。例えば、感光体ドラム３１は、アルミニウム製の素管の表面に、光の照射により導電性が向上する有機化合物からなる有機感光材料がコーティングされて形成される。ここに、感光体ドラム３１は、本発明における像担持体の一例である。
【００２４】
帯電装置３２は、感光体ドラム３１の表面を帯電させる。例えば、帯電装置３２は、帯電部材３２Ａを備える。帯電部材３２Ａは、感光体ドラム３１の表面と接触して設けられたローラー部材である。帯電部材３２Ａには、不図示の電源装置から電圧が印加される。これにより、帯電部材３２Ａと感光体ドラム３１との間で放電が発生して、感光体ドラム３１の表面が帯電される。
【００２５】
光走査装置３３は、感光体ドラム３１の表面に静電潜像を形成する。具体的に、光走査装置３３は、帯電部材３２Ａによって帯電された感光体ドラム３１の表面に画像データに基づく光を照射する。
【００２６】
現像部３４は、現像剤を用いて感光体ドラム３１上に形成された静電潜像を現像する。例えば、現像部３４は、現像槽３４Ａ、攪拌部材３４Ｂ、現像ローラー３４Ｃ、及びトナーコンテナ３４Ｄを備える。現像槽３４Ａは、画像の形成に用いられる前記現像剤を収容する。例えば、前記現像剤は、トナー及びキャリアを含む２成分現像剤である。攪拌部材３４Ｂは、現像槽３４Ａに収容されている前記現像剤を攪拌して帯電させる。現像ローラー３４Ｃは、攪拌部材３４Ｂにより帯電された前記現像剤を感光体ドラム３１に供給して、感光体ドラム３１上に静電潜像に応じた現像剤像を形成する。トナーコンテナ３４Ｄは、前記現像剤を収容し、現像槽３４Ａに前記現像剤を供給する。ここに、トナーコンテナ３４Ｄが、本発明における現像剤収容部の一例である。
【００２７】
また、現像槽３４Ａの内部には、トナーセンサー３９１が設けられている。例えば、トナーセンサー３９１は、現像槽３４Ａ内に収容されている前記現像剤における前記トナーの濃度を検出する。例えば、トナーセンサー３９１は、現像槽３４Ａ内に収容されている前記現像剤の透磁率に応じた電気信号を出力するＬＣ発振回路を含む透磁センサーである。なお、トナーセンサー３９１は、現像槽３４Ａ内に収容されている前記現像剤の残量が予め定められた許容量未満となったことを検出可能な光センサーなどであってもよい。
【００２８】
トナーセンサー３９１から出力された電気信号は、制御部７に入力される。例えば、制御部７は、トナーセンサー３９１から出力される電気信号に基づいて現像槽３４Ａ内に収容されている前記トナーの濃度が予め定められた許容値未満になったと判断された場合に、トナーコンテナ３４Ｄに前記現像剤を供給させる。
【００２９】
転写ローラー３５は、現像部３４により感光体ドラム３１の表面に形成された前記現像剤像を給紙部４から供給されるシートに転写させる。転写ローラー３５には、不図示の電源装置から電圧が印加される。これにより、転写ローラー３５と感光体ドラム３１との間に電界が形成されて、感光体ドラム３１の表面に形成された前記現像剤像がシートに転写される。ここに、転写ローラー３５は、本発明における転写部の一例である。
【００３０】
クリーニング装置３６は、転写ローラー３５による前記現像剤像の転写後の感光体ドラム３１の表面を清掃する。例えば、クリーニング装置３６は、感光体ドラム３１の表面に残存する前記現像剤を除去するクリーニングローラー３６Ａ、及び前記クリーニングローラー３６Ａによって除去された前記現像剤を不図示の現像剤回収容器まで搬送する搬送スクリュー３６Ｂを備える。
【００３１】
定着装置３７は、シートに転写された前記現像剤像を加熱して前記シートに定着させる。具体的に、図１に示すように、定着装置３７は、加熱ローラー３７Ａ及び加圧ローラー３７Ｂを備える。加熱ローラー３７Ａは、加熱された状態で回転するローラーである。例えば、加熱ローラー３７Ａは、内部に設けられたハロゲンヒーター又はＩＨヒーターにより予め定められた定着温度まで加熱される。加圧ローラー３７Ｂは、加熱ローラー３７Ａと当接した状態で回転するローラーである。定着装置３７では、搬送されるシートを加熱ローラー３７Ａ及び加圧ローラー３７Ｂで挟持しつつ加熱する。これにより、定着装置３７では、シートに転写された前記現像剤像がシートに溶融定着される。なお、加熱ローラー３７Ａは加熱ベルトであってもよい。ここに、定着装置３７は、本発明における定着部の一例である。
【００３２】
温度センサー３９２は、定着装置３７の温度を検出する。例えば、温度センサー３９２は、加熱ローラー３７Ａの表面に接触して又は非接触で設けられたサーミスターを含む。温度センサー３９２は、加熱ローラー３７Ａの表面の温度に応じた電気信号を出力する。なお、温度センサー３９２は、加熱ローラー３７Ａの表面温度を検出する非接触式の赤外線センサーでもよい。
【００３３】
温度センサー３９２から出力された電気信号は、制御部７に入力される。例えば、制御部７は、温度センサー３９２から出力される電気信号に基づいて、加熱ローラー３７Ａの温度を前記定着温度以上の状態で維持する温度制御を実行する。具体的に、温度センサー３９２は、前記ハロゲンヒーター等の駆動を制御して、前記温度制御を実行する。
【００３４】
排紙トレイ３８には、定着装置３７で前記現像剤像が定着されたシートが排出される。
【００３５】
図１及び図２に示すように、給紙部４は、給紙カセット４１、第１搬送路４２、第２搬送路４３、切替部材４４、ピックアップローラー４５、複数の搬送ローラー対４６、レジストローラー対４７、排出ローラー対４８、シートセンサー４９１、レジストセンサー４９２、搬送センサー４９３、及び排出センサー４９４を備える。
【００３６】
給紙カセット４１は、画像形成部３により画像が形成されるシートが載置される。給紙カセット４１に載置されたシートは、給紙部４により給紙カセット４１から排紙トレイ３８へ搬送される。
【００３７】
第１搬送路４２は、給紙カセット４１から排紙トレイ３８に至るシートの搬送経路である。第１搬送路４２は、画像形成装置１００の筐体内に設けられた一対の搬送ガイド部材により形成される。図１に示すように、第１搬送路４２には、ピックアップローラー４５、複数の搬送ローラー対４６、レジストローラー対４７、排出ローラー対４８を含む複数のローラーが設けられる。給紙部４では、不図示のモーターから伝達される駆動力により複数の前記ローラーが回転することで、給紙カセット４１に載置されるシートが図１に示す搬送方向Ｄ１に沿って搬送される。
【００３８】
第２搬送路４３は、第１搬送路４２における定着装置３７よりも搬送方向Ｄ１の下流側の位置とレジストローラー対４７よりも搬送方向Ｄ１の上流側の位置とを接続するシートの搬送経路である。第２搬送路４３は、画像形成装置１００の筐体内に設けられた一対の搬送ガイド部材により形成される。第２搬送路４３には、複数の搬送ローラー対４６が設けられる。第２搬送路４３では、前記モーターから伝達される駆動力により搬送ローラー対４６が回転することで、シートが図１に示す搬送方向Ｄ２に沿って搬送される。
【００３９】
切替部材４４は、第１搬送路４２における搬送方向Ｄ１の下流側の第２搬送路４３との合流部に設けられ、第１搬送路４２及び第２搬送路４３のいずれか一方を開放すると共に、他方を閉鎖することが可能である。
【００４０】
シートセンサー４９１は、給紙カセット４１に設けられ、給紙カセット４１にシートが載置されているか否かを検出する。例えば、シートセンサー４９１は、発光部及び受光部を有する反射型の光センサーである。シートセンサー４９１では、給紙カセット４１にシートが載置されている場合に、前記発光部から射出された光がシートで反射されて前記受光部に照射される。これにより、シートセンサー４９１は、給紙カセット４１におけるシートの有無に応じた電気信号を出力する。なお、シートセンサー４９１は、給紙カセット４１に載置されているシートを検出可能であれば、透過型の光センサー又は超音波センサーなどの他のセンサーであってもよい。
【００４１】
レジストセンサー４９２は、第１搬送路４２におけるレジストローラー対４７よりも搬送方向Ｄ１の上流側の第１位置Ｐ１（図１参照）で、シートの先端の通過を検出可能である。例えば、レジストセンサー４９２は、一対の前記搬送ガイド部材各々に配置された発光部及び受光部を有する透過型の光センサーである。レジストセンサー４９２では、前記発光部及び前記受光部の間を通過するシートの有無に応じた電気信号が前記受光部から出力される。レジストセンサー４９２から出力される電気信号は、制御部７に入力される。なお、レジストセンサー４９２は、シートの先端の通過を検出可能な他の方式のセンサーであってもよい。
【００４２】
搬送センサー４９３は、第１搬送路４２及び第２搬送路４３に一又は複数設けられ、シートの通過を検出可能である。例えば、搬送センサー４９３は、図１に示す第２搬送路４３上の第２位置Ｐ２においてシートの通過を検出可能である。例えば、搬送センサー４９３は、レジストセンサー４９２と同様に、一対の前記搬送ガイド部材各々に配置された発光部及び受光部を有する透過型の光センサーである。搬送センサー４９３では、前記発光部及び前記受光部の間を通過するシートの有無に応じた電気信号が前記受光部から出力される。搬送センサー４９３から出力される電気信号は、制御部７に入力される。なお、搬送センサー４９３は、シートの通過を検出可能な他の方式のセンサーであってもよい。
【００４３】
排出センサー４９４は、第１搬送路４２における切替部材４４よりも搬送方向Ｄ１の下流側の第３位置Ｐ３（図１参照）で、シートの後端の通過を検出可能である。例えば、排出センサー４９４は、レジストセンサー４９２と同様に、一対の前記搬送ガイド部材各々に配置された発光部及び受光部を有する透過型の光センサーである。排出センサー４９４では、前記発光部及び前記受光部の間を通過するシートの有無に応じた電気信号が前記受光部から出力される。排出センサー４９４から出力される電気信号は、制御部７に入力される。なお、排出センサー４９４は、シートの後端の通過を検出可能な他の方式のセンサーであってもよい。
【００４４】
画像形成部３では、以下の手順で給紙部４から供給されるシートに画像が形成される。なお、前記シートは、紙、コート紙、ハガキ、封筒、及びＯＨＰシートなどである。
【００４５】
まず、帯電装置３２によって感光体ドラム３１の表面が所定の電位に一様に帯電される。次に、光走査装置３３により感光体ドラム３１の表面に画像データに基づく光が照射される。これにより、感光体ドラム３１の表面に画像データに対応する静電潜像が形成される。
【００４６】
そして、感光体ドラム３１の表面に形成された静電潜像は現像部３４によって前記現像剤像として現像（可視像化）される。現像部３４により現像された前記現像剤像は、図１に示す矢印方向に回転する感光体ドラム３１により転写ローラー３５による転写位置（画像形成位置Ｐ４）まで搬送される。
【００４７】
一方、給紙部４は、画像形成部３による画像形成動作と並行して、画像形成位置Ｐ４にシートを給送する。例えば、給紙部４は、給紙カセット４１の底部に設けられた不図示のリフト板により給紙カセット４１に載置されているシートをピックアップローラー４５との接触位置まで持ち上げる。ピックアップローラー４５は、前記接触位置まで持ち上げられた最上層のシートを取り出す。ピックアップローラー４５により取り出されたシートは、搬送ローラー対４６によりレジストローラー対４７の配置位置まで搬送される。
【００４８】
レジストローラー対４７は、感光体ドラム３１により前記現像剤像が画像形成位置Ｐ４へ搬送されるタイミングに合わせて、画像形成位置Ｐ４にシートを送出する。例えば、制御部７は、レジストセンサー４９２によるシートの先端の通過の検出タイミングに基づいて、前記搬送タイミングに合致するレジストローラー対４７によるシートの送出タイミングを設定する。そして、レジストローラー対４７は、制御部７により設定された前記送出タイミングに基づいて、シートを画像形成位置Ｐ４に送出する。これにより、前記送出タイミングで画像形成位置Ｐ４に送出されたシートの表面に、前記搬送タイミングで搬送される前記現像剤像が転写ローラー３５により転写される。
【００４９】
画像形成位置Ｐ４において現像剤像が転写されたシートは、感光体ドラム３１及び転写ローラー３５の回転により定着装置３７に送出される。定着装置３７では、加熱ローラー３７Ａ及び加圧ローラー３７Ｂにより、シートに転写された前記現像剤像が加熱加圧される。これにより、前記現像剤像がシートに溶融定着される。定着装置３７によって現像剤像が定着されたシートは、排出ローラー対４８により排紙トレイ３８に排出される。なお、転写ローラー３５による前記現像剤像の転写後に感光体ドラム３１の表面に残存した前記現像剤は、クリーニング装置３６により除去される。
【００５０】
また、画像形成装置１００では、給紙部４により搬送されるシートの両面に印刷を行うことも可能である。具体的に、制御部７は、シートの両面に印刷が行われる場合には、排出センサー４９４によるシートの後端の通過が検出されたタイミングで切替部材４４を動作させて、第１搬送路４２を閉鎖させると共に第２搬送路４３を開放させる。続いて、制御部７は、第２搬送路４３が開放された後に、排出ローラー対４８を逆回転させる。これにより、シートが第２搬送路４３に送出される。そして、第２搬送路４３に送出されたシートは、第２搬送路４３に設けられた搬送ローラー対４６により第１搬送路４２との合流位置まで搬送されて、前記合流位置から第１搬送路４２に表面と裏面とが逆転した状態で送出される。これにより、シートの裏面にも画像が形成される。
【００５１】
また、図２に示すように、制御部７は、印刷処理部７１、検出処理部７２、及び中断処理部７３を備える。具体的に、制御部７は、前記制御プログラムを実行することで、印刷処理部７１、検出処理部７２、及び中断処理部７３として機能する。
【００５２】
印刷処理部７１は、複数のページを含む画像データに基づいて複数のページ各々の画像を順次印刷する印刷処理を実行する。具体的に、印刷処理部７１は、画像形成部３及び給紙部４を用いて前記印刷処理を実行する。
【００５３】
例えば、印刷処理部７１は、操作表示部５においてＡＤＦ１の前記原稿載置部に載置されている原稿を複写する複写処理の実行操作が行われた場合に、ＡＤＦ１及び画像読取部２を用いて前記原稿に含まれる複数のページの画像を読み取る画像読取処理を実行する。そして、印刷処理部７１は、前記画像読取処理で読み取られた画像データに基づいて前記印刷処理を実行する。また、印刷処理部７１は、外部の情報処理装置から画像データと共に前記印刷処理の実行命令が送信された場合に、送信された画像データに基づいて前記印刷処理を実行する。
【００５４】
検出処理部７２は、印刷処理部７１により前記印刷処理が実行されている場合に、前記印刷処理を中断させる予め定められた異常の発生を検出する。
【００５５】
例えば、前記異常は、トナーコンテナ３４Ｄに収容されている前記現像剤がなくなる現像剤切れを含む。例えば、検出処理部７２は、現像槽３４Ａ内の前記トナーの濃度が前記許容値未満となりトナーコンテナ３４Ｄから前記現像剤が供給される場合において、予め定められた補給時間が経過しても現像槽３４Ａ内の前記トナーの濃度が上昇しない場合に、前記現像剤切れの発生を検出する。なお、検出処理部７２は、前記印刷処理で印刷される画像データの印字率に基づいて前記現像剤の消費量を算出して、算出された前記現像剤の消費量の累積値とトナーコンテナ３４Ｄにおける前記現像剤の初期収容量との比較結果に基づいて前記現像剤切れの発生を検出してもよい。
【００５６】
また、前記異常は、定着装置３７における温度制御異常を含む。例えば、検出処理部７２は、前記温度制御が実行されているにも関わらず、温度センサー３９２により検出される定着装置３７の加熱ローラー３７Ａの温度が前記定着温度より低い予め定められた最低温度以下となった場合に、前記温度制御異常の発生を検出する。また、検出処理部７２は、前記温度制御が実行されているにも関わらず、加熱ローラー３７Ａの温度が前記定着温度より低い状態が予め定められた許容時間を超えて継続した場合に、前記温度制御異常の発生を検出してもよい。
【００５７】
また、前記異常は、給紙カセット４１に載置されたシートがなくなるシート切れを含む。例えば、検出処理部７２は、シートセンサー４９１により前記シートが検出されない場合に、前記シート切れの発生を検出する。
【００５８】
また、前記異常は、第１搬送路４２及び第２搬送路４３に紙が詰まる紙詰まりを含む。例えば、検出処理部７２は、レジストセンサー４９２、搬送センサー４９３、及び排出センサー４９４を用いて、第１搬送路４２及び第２搬送路４３における前記紙詰まりの発生を検出する。例えば、検出処理部７２は、給紙部４による前記シートの搬送開始時から予め定められた搬送時間が経過してもレジストセンサー４９２により前記シートが検出されない場合に、レジストセンサー４９２までの区間における前記紙詰まりの発生を検出する。なお、検出処理部７２は、レジストローラー対４７、搬送ローラー対４６、又は排出ローラー対４８に駆動力を伝達する前記モーターに予め定められた許容範囲を超える過剰な電流が流れた場合に、前記紙詰まりの発生を検出してもよい。
【００５９】
なお、検出処理部７２によって検出される前記異常は、以上で説明した前記現像剤切れ、前記温度制御異常、前記シート切れ、前記紙詰まりに限られず、前記印刷処理を中断させる他の異常を含むものであってもよい。
【００６０】
中断処理部７３は、前記印刷処理が実行されている場合において、検出処理部７２により前記異常が検出された場合に、前記印刷処理を中断する。
【００６１】
例えば、中断処理部７３は、検出処理部７２により前記現像剤切れ、前記温度制御異常、及び前記シート切れのいずれかの前記異常が検出された場合に、前記異常の検出時に給紙部４により搬送されているシートへの印刷の終了後に、画像形成部３及び給紙部４の動作を停止させて、前記印刷処理を中断する。そして、中断処理部７３は、前記印刷処理の中断前に最後に出力されたページを示す出力ページ情報を前記ＲＡＭの予め定められた出力ページ記憶領域に記憶させる。
【００６２】
また、中断処理部７３は、検出処理部７２により前記紙詰まりが検出された場合に、直ちに画像形成部３及び給紙部４の動作を停止させて、前記印刷処理を中断する。そして、中断処理部７３は、前記印刷処理の中断前に最後に出力されたページを示す前記出力ページ情報を前記ＲＡＭの前記出力ページ記憶領域に記憶させる。
【００６３】
また、中断処理部７３は、前記印刷処理が実行されている場合において、前記印刷処理の中断命令が入力された場合に、前記印刷処理を中断する。例えば、前記中断命令は、操作表示部５におけるユーザーの操作に応じて制御部７に入力される。また、前記中断命令は、外部の情報処理装置から画像形成装置１００に送信されて制御部７に入力されてもよい。ここに、前記中断命令の入力に対応するユーザー操作は、本発明における前記印刷処理の中断を指示する操作の一例である。
【００６４】
例えば、中断処理部７３は、前記印刷処理の中断命令が入力された場合に、前記印刷処理の中断命令の入力時に給紙部４により搬送されているシートへの印刷の終了後に、画像形成部３及び給紙部４の動作を停止させて、前記印刷処理を中断する。そして、中断処理部７３は、前記印刷処理の中断前に最後に出力されたページを示す前記出力ページ情報を前記ＲＡＭの前記出力ページ記憶領域に記憶させる。
【００６５】
ここで、画像形成装置１００では、中断処理部７３によらずに、前記印刷処理が中断されることがある。例えば、画像形成装置１００では、停電等により画像形成装置１００と外部の商用電源との接続が遮断された場合に、前記印刷処理が中断される。
【００６６】
例えば、画像形成装置１００には、前記外部の商用電源からの電力供給の有無を検出可能な不図示の検出回路が設けられている。制御部７は、前記検出回路を用いて、画像形成装置１００と前記外部の商用電源との接続の遮断を検出する。そして、制御部７は、前記印刷処理の実行中に前記外部の商用電源との接続の遮断が検出された場合に、画像形成装置１００の動作が停止する前に、前記外部の商用電源との接続の遮断の検出時における前記印刷処理の処理状況を示す処理状況情報を前記ＥＥＰＲＯＭの予め定められた処理状況記憶領域に記憶させる。
【００６７】
ところで、画像形成装置１００と同様の構成を備える従来の画像形成装置では、例えば前記印刷処理が前記異常の検出により中断された場合に、検出された前記異常が解消された後に前記印刷処理が再開される。例えば、前記従来の画像形成装置では、前記印刷処理が中断される直前に出力されたページの次のページから前記印刷処理が自動的に再開される。
【００６８】
ここで、前記印刷処理が中断される直前に出力されたページの次のページからの前記印刷処理の再開がユーザーの意図に合致しないことがある。例えば、前記印刷処理が前記現像剤切れにより中断された場合に、前記印刷処理が中断される直前に出力された一又は複数枚の印刷物の印刷濃度が低下していることがある。このような場合、ユーザーは、前記印刷処理が中断される直前に出力されたページの次のページではなく、印刷濃度の低下が確認されるページから前記印刷処理を再開したいと考えることがある。これに対し、前記印刷処理が中断された場合には、常にユーザー操作に応じて前記印刷処理を再開する再開ページを設定する構成が考えられる。しかしながら、前記再開ページの設定が常にユーザー操作に応じて行われる場合には、前記印刷処理が前記紙詰まりなどの原因で中断された場合にも、前記再開ページを設定する操作がユーザーに強いられる。
【００６９】
これに対し、画像形成装置１００では、以下に説明するように、ユーザー操作の手間を不要に増加させることなく、ユーザーの意図に合致したページから前記印刷処理を再開することが可能である。
【００７０】
具体的に、画像形成装置１００では、前記印刷処理の中断原因が予め定められた特定原因である場合にのみ、前記再開ページがユーザー操作に応じて設定される。
【００７１】
例えば、画像形成装置１００では、前記現像剤切れが前記特定原因として設定されており、前記現像剤切れにより前記印刷処理が中断された場合に、ユーザー操作に応じて前記再開ページが設定される。
【００７２】
また、画像形成装置１００では、前記温度制御異常により前記印刷処理が中断される場合、定着装置３７における加熱不足が原因で前記印刷処理が中断される直前に排紙トレイ３８に排出された一又は複数の印刷物から前記現像剤が剥がれることがある。この場合、ユーザーは前記現像剤の剥離が確認されるページから前記印刷処理を再開したいと考えることがある。そのため、画像形成装置１００では、前記温度制御異常が前記特定原因として設定されており、前記温度制御異常により前記印刷処理が中断された場合に、ユーザー操作に応じて前記再開ページが設定される。
【００７３】
また、画像形成装置１００では、画像形成装置１００の機内が前記現像剤により汚染されて排紙トレイ３８に排出された一又は複数の印刷物に汚れが確認されることがある。この場合、ユーザーは、一旦前記印刷処理を中断させて、画像形成装置１００の内部を清掃した後に、汚れが確認されたページから前記印刷処理を再開したいと考えることがある。そのため、画像形成装置１００では、前記中断命令の入力が前記特定原因として設定されており、前記中断命令の入力により前記印刷処理が中断された場合に、ユーザー操作に応じて前記再開ページが設定される。
【００７４】
また、画像形成装置１００では、画像形成装置１００の電源の投入時に前記ＥＥＰＲＯＭの前記処理状況記憶領域に前記処理状況情報が記憶されている場合に、第１搬送路４２又は第２搬送路４３に存在するシートを排紙トレイ３８に排出する排出処理が実行される。そして、前記排出処理の終了後に、前記処理状況情報に基づいて、画像形成装置１００と前記外部の商用電源との接続の遮断の検出の直前に出力されたページの次のページから前記印刷処理の実行が再開される。ここで、前記排出処理により排出されるシートへの印刷が前記印刷処理の中断時に既に完了していることがある。この場合、ユーザーは、前記排出処理により排出されたシートに印刷されたページの次のページから前記印刷処理を再開したいと考えることがある。このため、画像形成装置１００では、画像形成装置１００と前記外部の商用電源との接続の遮断が前記特定原因として設定されており、前記外部の商用電源との接続の遮断により前記印刷処理が中断された場合に、ユーザー操作に応じて前記再開ページが設定される。
【００７５】
なお、前記特定原因は、操作表示部５におけるユーザーの操作に応じて前記印刷処理を中断させる前記中断原因から任意に設定されるものであってよい。
【００７６】
一方、制御部７の前記ＲＯＭには、前記ＣＰＵに後述の再開ページ設定処理（図３のフローチャート参照）を実行させるための再開ページ設定プログラムが予め記憶されている。なお、再開ページ設定プログラムは、ＣＤ、ＤＶＤ、フラッシュメモリーなどのコンピューター読み取り可能な記録媒体に記録されており、前記記録媒体から読み取られて記憶部６にインストールされるものであってもよい。
【００７７】
そして、制御部７は、図２に示すように、判断処理部７４、設定処理部７５、及び再開処理部７６を備える。具体的に、制御部７は、前記ＣＰＵを用いて前記ＲＯＭに記憶されている前記再開ページ設定プログラムを実行する。これにより、制御部７は、判断処理部７４、設定処理部７５、及び再開処理部７６として機能する。
【００７８】
判断処理部７４は、印刷処理部７１により実行される前記印刷処理が中断される場合に、前記印刷処理の前記中断原因が前記特定原因であるか否かを判断する。
【００７９】
例えば、判断処理部７４は、中断処理部７３により前記印刷処理が中断された場合に、前記中断原因が前記特定原因であるか否かを判断する。即ち、前記中断原因には、検出処理部７２による前記異常の検出、及び制御部７への前記印刷処理の中断命令の入力が含まれる。
【００８０】
また、判断処理部７４は、画像形成装置１００と前記外部の商用電源との接続が遮断されて前記印刷処理が中断された場合に、前記中断原因が前記特定原因であるか否かを判断する。即ち、前記中断原因には、画像形成装置１００と外部の商用電源との接続の遮断も含まれる。
【００８１】
例えば、制御部７は、画像形成装置１００の電源が投入される毎に、前記ＥＥＰＲＯＭの前記処理状況記憶領域における前記処理状況情報の有無を確認する。そして、制御部７は、前記ＥＥＰＲＯＭの前記処理状況記憶領域に前記処理状況情報が記憶されている場合に、前記印刷処理が中断されたと判断して、前記中断原因、即ち画像形成装置１００と前記外部の商用電源との接続の遮断が前記特定原因であるか否かを判断する。
【００８２】
設定処理部７５は、判断処理部７４により前記中断原因が前記特定原因でないと判断される場合には、前記印刷処理を再開する再開ページを前記印刷処理が中断される直前に出力されたページの次のページに設定する。
【００８３】
例えば、設定処理部７５は、前記ＲＡＭの前記出力ページ記憶領域に記憶される前記出力ページ情報に基づいて、前記印刷処理が中断される直前に出力されたページの次のページを特定する。また、設定処理部７５は、画像形成装置１００と前記外部の商用電源との接続の遮断が前記特定原因に定められていない場合には、前記ＥＥＰＲＯＭの前記処理状況記憶領域に記憶される前記処理状況情報に基づいて、前記印刷処理が中断される直前に出力されたページの次のページを特定する。そして、設定処理部７５は、特定された前記ページのページ番号を示す再開ページ情報を前記ＲＡＭの予め定められた再開ページ記憶領域に記憶させることで、前記再開ページを設定する。
【００８４】
また、設定処理部７５は、判断処理部７４により前記中断原因が前記特定原因であると判断される場合には、ユーザー操作に応じて前記再開ページを設定する。
【００８５】
例えば、設定処理部７５は、判断処理部７４により前記中断原因が前記特定原因であると判断される場合には、前記再開ページの設定に用いられる前記印刷処理で印刷されるページのプレビュー画像を含むページ設定画面を操作表示部５に表示させる。そして、設定処理部７５は、前記ページ設定画面における前記プレビュー画像を指定するユーザー操作に応じて前記再開ページを設定する。これにより、前記ページ設定画面において前記再開ページのページ番号の入力操作を受け付ける構成と比較して、排紙トレイ３８に排出された印刷物から前記再開ページに指定したいページ番号を調べるユーザーの手間を省くことが可能である。
【００８６】
また、設定処理部７５は、前記ページ設定画面におけるユーザー操作に応じて前記ページ設定画面に含まれる前記プレビュー画像を切り替える。これにより、１画面に表示される前記プレビュー画像の数を低減させて個々の前記プレビュー画像の表示領域を広くとることが可能となり、ユーザーが前記プレビュー画像の内容を確認しやすくなる。
【００８７】
例えば、設定処理部７５は、ユーザー操作により前記再開ページに指定されたページのページ番号を示す前記再開ページ情報を前記ＲＡＭの前記再開ページ記憶領域に記憶させることで、前記再開ページを設定する。
【００８８】
なお、設定処理部７５は、判断処理部７４により前記中断原因が前記特定原因であると判断された場合に、排紙トレイ３８に出力された印刷物の確認を促すメッセージを表示させてもよい。例えば、設定処理部７５は、前記ページ設定画面に前記メッセージを表示させることが考えられる。これにより、例えば、前記現像剤切れにより前記印刷処理が中断されて、排紙トレイ３８に出力された印刷物の印刷濃度が低下している場合に、前記印刷物の印刷濃度の低下をユーザーに認識させることが可能である。
【００８９】
再開処理部７６は、設定処理部７５により設定された前記再開ページから前記印刷処理を再開する。
【００９０】
例えば、再開処理部７６は、前記ＲＡＭの前記再開ページ記憶領域に記憶される前記再開ページ情報が示す前記ページ（前記再開ページ）から前記印刷処理を再開する。
【００９１】
ここで、再開処理部７６は、判断処理部７４により前記中断原因が前記特定原因ではないと判断された場合に、設定処理部７５により設定された前記再開ページの前記プレビュー画像を含む確認画面を操作表示部５に表示させて、前記確認画面におけるユーザー操作に応じて前記印刷処理を再開する。これにより、ユーザーが前記再開ページを把握しないまま前記印刷処理が自動的に再開されて、ユーザーに前記印刷処理が中断される直前に出力されたページの次のページとは異なる前記ページから前記印刷処理が再開されたのではないかとの危惧を抱かせることが回避される。
【００９２】
［再開ページ設定処理］
以下、図３を参照しつつ、画像形成装置１００において、制御部７によって実行される再開ページ設定処理の手順の一例について説明する。ここで、ステップＳ１、Ｓ２・・・は、制御部７により実行される処理手順（ステップ）の番号を表している。
【００９３】
＜ステップＳ１＞
ステップＳ１において、制御部７は、前記印刷処理の実行タイミングが到来したか否かを判断する。例えば、制御部７は、ＡＤＦ１の前記原稿載置部に載置されている原稿を複写する前記複写処理の実行操作が行われた場合に、前記印刷処理の実行タイミングが到来したと判断する。また、制御部７は、前記外部の情報処理装置から画像データと共に前記印刷処理の実行命令が送信された場合に、前記印刷処理の実行タイミングが到来したと判断する。
【００９４】
ここで、制御部７は、前記印刷処理の実行タイミングが到来したと判断するまでの間（Ｓ１：Ｎｏ）、処理をステップＳ１で待機させる。一方、制御部７は、前記印刷処理の実行タイミングが到来したと判断すると（Ｓ１：Ｙｅｓ）、処理をステップＳ２に移行させる。
【００９５】
＜ステップＳ２＞
ステップＳ２において、制御部７は、複数のページを含む画像データに基づいて複数のページ各々の画像を順次印刷する前記印刷処理を実行する。ここに、ステップＳ２の処理は、本発明における第１ステップの一例であって、制御部７の印刷処理部７１によって実行される。
【００９６】
例えば、制御部７は、ステップＳ１で前記複写処理の実行操作が行われた場合に、ＡＤＦ１及び画像読取部２を用いて前記原稿に含まれる複数のページの画像を読み取る前記画像読取処理を実行する。そして、制御部７は、前記画像読取処理で読み取られた画像データに基づいて前記印刷処理を実行する。
【００９７】
また、制御部７は、ステップＳ１で前記外部の情報処理装置から画像データと共に前記印刷処理の実行命令が送信された場合に、前記外部の情報処理装置から送信された画像データに基づいて前記印刷処理を実行する。
【００９８】
＜ステップＳ３＞
ステップＳ３において、制御部７は、前記印刷処理が中断されたか否かを判断する。
【００９９】
例えば、制御部７は、中断処理部７３により前記印刷処理が中断された場合に、前記印刷処理が中断されたと判断する。
【０１００】
また、制御部７は、画像形成装置１００と前記外部の商用電源との接続が遮断されて前記印刷処理が中断された場合に、前記印刷処理が中断されたと判断する。具体的に、この場合、画像形成装置１００と前記外部の商用電源との接続の遮断により、前記再開ページ設定処理の実行もステップＳ３で中断される。また、画像形成装置１００と前記外部の商用電源との接続の遮断により、前記再開ページ設定処理の実行がステップＳ１で中断されることもある。そのため、制御部７は、画像形成装置１００の電源投入時に、前記ＥＥＰＲＯＭの前記処理状況記憶領域に前記処理状況情報が記憶されているか否かを判断する。そして、制御部７は、前記ＥＥＰＲＯＭの前記処理状況記憶領域に前記処理状況情報が記憶されている場合に、前記再開ページ設定処理の実行をステップＳ３から再開させて、前記印刷処理が中断されたと判断する。一方、制御部７は、前記ＥＥＰＲＯＭの前記処理状況記憶領域に前記処理状況情報が記憶されていない場合に、前記再開ページ設定処理の実行をステップＳ１から再開させる。
【０１０１】
ここで、制御部７は、前記印刷処理が中断されたと判断すると（Ｓ３：Ｙｅｓ）、処理をステップＳ４に移行させ、前記印刷処理が中断されていないと判断すると（Ｓ３：Ｎｏ）、処理をステップＳ９に移行させる。
【０１０２】
＜ステップＳ４＞
ステップＳ４において、制御部７は、前記印刷処理の前記中断原因が前記特定原因であるか否かを判断する。ここに、ステップＳ３及びＳ４の処理は、本発明における第２ステップの一例であって、制御部７の判断処理部７４によって実行される。
【０１０３】
ここで、制御部７は、前記中断原因が前記特定原因であると判断すると（Ｓ４：Ｙｅｓ）、処理をステップＳ５に移行させ、前記中断原因が前記特定原因ではないと判断すると（Ｓ４：Ｎｏ）、処理をステップＳ４１に移行させる。
【０１０４】
＜ステップＳ５＞
ステップＳ５において、制御部７は、前記ページ設定画面を操作表示部５に表示させ、ユーザーによる前記再開ページの設定操作を受け付ける。なお、制御部７は、前記異常の検出により前記印刷処理が中断された場合は、前記異常の解消後に前記ページ設定画面を表示させる。
【０１０５】
ここで、画像形成装置１００では、前記現像剤切れが前記特定原因として設定されている。そのため、前記再開ページ設定処理では、前記現像剤切れにより前記印刷処理が中断された場合に、前記ページ設定画面が表示される。これにより、ユーザーは、前記印刷処理が中断される直前に出力された一又は複数の印刷物の印刷濃度が低下している場合に、印刷濃度の低下が確認されるページから前記印刷処理を再開させることが可能である。
【０１０６】
また、画像形成装置１００では、前記温度制御異常が前記特定原因として設定されている。そのため、前記再開ページ設定処理では、前記温度制御異常により前記印刷処理が中断された場合に、前記ページ設定画面が表示される。これにより、ユーザーは、前記印刷処理が中断される直前に出力された一又は複数の印刷物に転写された前記現像剤の剥離が確認される場合に、前記現像剤の剥離が確認されるページから前記印刷処理を再開させることが可能である。
【０１０７】
また、画像形成装置１００では、前記中断命令の入力が前記特定原因として設定されている。そのため、前記再開ページ設定処理では、前記中断命令の入力により前記印刷処理が中断された場合に、前記ページ設定画面が表示される。これにより、ユーザーは、前記印刷処理が中断される直前に出力された一又は複数の印刷物に汚れが確認される場合に、汚れが確認されるページから前記印刷処理を再開させることが可能である。
【０１０８】
また、画像形成装置１００では、画像形成装置１００と前記外部の商用電源との接続の遮断が前記特定原因として設定されている。そのため、前記再開ページ設定処理では、画像形成装置１００と前記外部の商用電源との接続の遮断により前記印刷処理が中断された場合に、前記ページ設定画面が表示される。これにより、ユーザーは、前記排出処理により排出されるシートへの印刷が完了している場合に、その次のページから前記印刷処理を再開させることが可能である。
【０１０９】
ここで、ステップＳ５において、制御部７により操作表示部５に表示される前記ページ設定画面の一例を図４に示す。図４に示すページ設定画面Ｇ１は、第１表示領域Ｋ１、第２表示領域Ｋ２、及び操作キーＫ３〜操作キーＫ６を含む。
【０１１０】
第１表示領域Ｋ１及び第２表示領域Ｋ２には、前記印刷処理で印刷されるページの前記プレビュー画像が表示される。例えば、第１表示領域Ｋ１には、前記印刷処理が中断される直前に出力されたページの次のページのプレビュー画像が表示される。また、第２表示領域Ｋ２には、第１表示領域Ｋ１に表示されるページの次のページの前記プレビュー画像が表示される。例えば、制御部７は、前記ＲＡＭの前記出力ページ記憶領域に記憶される前記出力ページ情報に基づいて、前記印刷処理が中断される直前に出力されたページの次のページを特定する。
【０１１１】
操作キーＫ３及び操作キーＫ４は、第１表示領域Ｋ１及び第２表示領域Ｋ２に表示されるページの切り替えの際に操作される操作キーである。例えば、制御部７は、操作キーＫ３が操作される毎に、第１表示領域Ｋ１及び第２表示領域Ｋ２に表示されるページのページ番号を１だけ減少させる。また、制御部７は、操作キーＫ４が操作される毎に、第１表示領域Ｋ１及び第２表示領域Ｋ２に表示されるページのページ番号を１だけ増加させる。
【０１１２】
操作キーＫ５は、前記再開ページの設定の際に操作される操作キーである。例えば、制御部７は、操作キーＫ５が操作された場合に、第１表示領域Ｋ１に表示されているページを前記再開ページに設定する。操作キーＫ６は、前記印刷処理の中止の際に操作される操作キーである。
【０１１３】
なお、制御部７は、排紙トレイ３８に出力された印刷物の確認を促すメッセージを前記ページ設定画面に表示させてもよい。これにより、前記現像剤切れにより前記印刷処理が中断された場合に、排紙トレイ３８に排出された印刷物の印刷濃度の低下の有無の確認をユーザーに促すことが可能である。また、前記温度制御異常により前記印刷処理が中断された場合に、排紙トレイ３８に排出された印刷物に転写された前記現像剤の剥離の有無の確認をユーザーに促すことが可能である。また、画像形成装置１００と前記外部の商用電源との接続の遮断により前記印刷処理が中断された場合に、前記排出処理の実行により排紙トレイ３８に排出されたシートへの印刷が完了しているか否かの確認をユーザーに促すことが可能である。
【０１１４】
また、制御部７は、前記ページ設定画面の表示に替えて、前記再開ページのページ番号の入力操作を受け付ける画面を操作表示部５に表示させてもよい。
【０１１５】
＜ステップＳ６＞
ステップＳ６において、制御部７は、ステップＳ５で表示された前記ページ設定画面において前記再開ページの設定操作が行われたか否かを判断する。例えば、制御部７は、ページ設定画面Ｇ１における操作キーＫ５が操作された場合に、前記再開ページの設定操作が行われたと判断する。
【０１１６】
ここで、制御部７は、前記再開ページの設定操作が行われたと判断するまでの間（Ｓ６：Ｎｏ）、処理をステップＳ６で待機させる。一方、制御部７は、前記再開ページの設定操作が行われたと判断すると（Ｓ６：Ｙｅｓ）、処理をステップＳ７に移行させる。
【０１１７】
なお、ステップＳ６において、制御部７は、ページ設定画面Ｇ１における操作キーＫ６の操作がされた場合に、前記印刷処理の中止が指示されたと判断する。この場合、制御部７は、処理をステップＳ１に移行させ、次の前記印刷処理の実行タイミングの到来まで待機する。
【０１１８】
＜ステップＳ７＞
ステップＳ７において、制御部７は、前記ページ設定画面で受け付けられたユーザー操作に応じて前記再開ページを設定する。例えば、制御部７は、ページ設定画面Ｇ１で操作キーＫ５が操作された場合に、第１表示領域Ｋ１に表示されているページのページ番号を示す前記再開ページ情報を前記ＲＡＭの前記再開ページ記憶領域に記憶させることで、前記再開ページを設定する。
【０１１９】
＜ステップＳ４１＞
一方、ステップＳ４で前記印刷処理の前記中断原因が前記特定原因ではないと判断された場合、ステップＳ４１の処理が実行される。ステップＳ４１において、制御部７は、前記印刷処理を再開する前記再開ページを前記印刷処理が中断される直前に出力されたページの次のページに設定する。ここに、ステップＳ５、ステップＳ６、ステップＳ７、及びステップＳ４１の処理は、本発明における第３ステップの一例であって、制御部７の設定処理部７５によって実行される。
【０１２０】
例えば、制御部７は、前記ＲＡＭの前記出力ページ記憶領域に記憶される前記出力ページ情報に基づいて、前記印刷処理が中断される直前に出力されたページの次のページを特定する。そして、制御部７は、特定された前記ページのページ番号を示す前記再開ページ情報を前記ＲＡＭの前記再開ページ記憶領域に記憶させることで、前記再開ページを設定する。
【０１２１】
＜ステップＳ４２＞
ステップＳ４２において、制御部７は、ステップＳ４１で前記再開ページに設定されたページの前記プレビュー画像を含む前記確認画面を操作表示部５に表示させる。なお、制御部７は、前記異常の検出により前記印刷処理が中断された場合は、前記異常の解消後に前記確認画面を表示させる。
【０１２２】
ここで、ステップＳ４２において、制御部７により操作表示部５に表示される前記確認画面の一例を図５に示す。図５に示す確認画面Ｇ２は、第３表示領域Ｋ７、第４表示領域Ｋ８、操作キーＫ９及び操作キーＫ１０を含む。
【０１２３】
第３表示領域Ｋ７には、ステップＳ４１で前記再開ページに設定されたページの前記プレビュー画像が表示される。また、第４表示領域Ｋ８には、ステップＳ４１で前記再開ページに設定されたページの次のページの前記プレビュー画像が表示される。操作キーＫ９は、前記印刷処理の再開の際に操作される操作キーである。操作キーＫ１０は、前記印刷処理の中止の際に操作される操作キーである。
【０１２４】
＜ステップＳ４３＞
ステップＳ４３において、制御部７は、前記印刷処理を再開させるユーザー操作が行われたか否かを判断する。例えば、制御部７は、確認画面Ｇ２における操作キーＫ９が操作された場合に、前記印刷処理の再開操作が行われたと判断する。
【０１２５】
ここで、制御部７は、前記印刷処理を再開させるユーザー操作が行われたと判断するまでの間（Ｓ４３：Ｎｏ）、処理をステップＳ４３で待機させる。一方、制御部７は、前記前記印刷処理を再開させるユーザー操作が行われたと判断すると（Ｓ４３：Ｙｅｓ）、処理をステップＳ８に移行させる。
【０１２６】
なお、ステップＳ４３において、制御部７は、確認画面Ｇ２における操作キーＫ１０の操作がされた場合に、前記印刷処理の中止が指示されたと判断する。この場合、制御部７は、処理をステップＳ１に移行させ、次の前記印刷処理の実行タイミングの到来まで待機する。
【０１２７】
また、ステップＳ４２及びステップＳ４３の処理は省略されてもよい。
【０１２８】
＜ステップＳ８＞
ステップＳ８において、制御部７は、ステップＳ７又はステップＳ４１で前記再開ページに設定されたページから前記印刷処理を再開させる。ここに、ステップＳ８の処理は、本発明における第４ステップの一例であって、制御部７の再開処理部７６によって実行される。
【０１２９】
例えば、制御部７は、前記ＲＡＭの前記再開ページ記憶領域に記憶されている前記再開ページ情報により示される前記再開ページから前記印刷処理を再開させる。
【０１３０】
＜ステップＳ９＞
ステップＳ９において、制御部７は、前記印刷処理が終了したか否かを判断する。例えば、制御部７は、前記画像データに含まれる全てのページが印刷された場合に、前記印刷処理が終了したと判断する。なお、制御部７は、前記印刷処理が実行されている場合において、前記印刷処理の中止を指示する中止操作がされた場合に、前記印刷処理が終了したと判断してもよい。
【０１３１】
ここで、制御部７は、前記印刷処理が終了したと判断すると（Ｓ９：Ｙｅｓ）、処理をステップＳ１に移行させ、次の前記印刷処理の実行タイミングの到来を待ち受ける。一方、制御部７は、前記印刷処理が終了していないと判断すると（Ｓ９：Ｎｏ）、処理をステップＳ３に戻し、前記印刷処理が終了したと判断するまでの間、前記印刷処理の中断を待ち受ける。
【０１３２】
以上に説明したように、画像形成装置１００では、判断処理部７４により前記中断原因が前記特定原因であると判断された場合に、ユーザー操作に応じて前記再開ページが設定される。このため、画像形成装置１００では、ユーザーの意図に合致したページから前記印刷処理を再開することができる。
【０１３３】
一方、画像形成装置１００では、判断処理部７４により前記中断原因が前記特定原因ではないと判断された場合に、前記再開ページが前記印刷処理が中断される直前に排紙トレイ３８に排出されたページの次のページに設定される。これにより、画像形成装置１００では、ユーザー操作の手間を不要に増大させることを抑止することができる。
【０１３４】
なお、本発明の画像形成装置及び画像形成方法は、電子写真方式の画像形成装置及び画像形成方法に限られず、インクジェット方式などの他の画像形成方式を用いた画像形成装置及び画像形成方法にも適用可能である。
【符号の説明】
【０１３５】
１      ＡＤＦ
２      画像読取部
３      画像形成部
３４    現像部
３４Ａ    現像槽
３４Ｄ    トナーコンテナ（現像剤収容部）
３７    定着部
３７Ａ    加熱ローラー
３９１    トナーセンサー
３９２    温度センサー
４      給紙部
４９１    シートセンサー
４９２    レジストセンサー
４９３    搬送センサー
４９４    排出センサー
５      操作表示部
６      記憶部
７      制御部
７１    印刷処理部
７２    検出処理部
７３    中断処理部
７４    判断処理部
７５    設定処理部
７６    再開処理部
Ｇ１    ページ設定画面
Ｇ２    確認画面
【図１】
2017102306.tif 000003
【図２】
2017102306.tif 000004
【図３】
2017102306.tif 000005
【図４】
2017102306.tif 000006
【図５】
2017102306.tif 000007